【手続補正書】
【提出日】平成19年7月25日(2007.7.25)
【手続補正１】
【補正対象書類名】特許請求の範囲
【補正対象項目名】全文
【補正方法】変更
【補正の内容】
【特許請求の範囲】
【請求項１】
それぞれが異なる形式で識別情報を格納する１次コンピュータ・システムと異種の２次コンピュータ・システムの間で識別情報を同期させる方法であって、
前記１次コンピュータ・システムと前記２次コンピュータ・システムを接続して、前記１次コンピュータ・システムと前記２次コンピュータ・システムの間に通信能力を提供すること、
前記１次コンピュータ・システム上に新しい識別情報が存在し、同期化操作を実行する必要があると決定すること、
前記新しい識別情報を、前記２次コンピュータ・システムに関連付けられた前記異なる形式に変換すること、および
前記変換された情報を前記２次コンピュータ・システムに伝搬すること
を備えることを特徴とする方法。
【請求項２】
前記プロセスは、オペレーティング・システムによって実行されることを特徴とする請求項１に記載の方法。
【請求項３】
前記２次コンピュータ・システムは、前記変換された情報の受け取りに追随する識別情報の代理データベースを備え、前記代理データベースは、前記１次コンピュータ・システム上に格納された識別情報の１次データベースを表すものであることを特徴とする請求項１に記載の方法。
【請求項４】
前記２次コンピュータ・システム上の前記代理データベースは、前記１次データベースより少ない識別情報を持つことを特徴とする請求項３に記載の方法。
【請求項５】
前記２次コンピュータ・システムは電話システムであり、前記識別情報は連絡先情報を備えることを特徴とする請求項４に記載の方法。
【請求項６】
前記２次コンピュータ・システムはハンドヘルド携帯情報端末コンピュータ・システムであり、前記識別情報は連絡先情報を備えることを特徴とする請求項４に記載の方法。
【請求項７】
前記２次コンピュータ・システムは電子メール・アカウント・システムであり、前記識別情報は連絡先情報を備えることを特徴とする請求項４に記載の方法。
【請求項８】
前記新しい識別情報は、ユーザによって前記１次コンピュータ・システムに入力されることを特徴とする請求項１に記載の方法。
【請求項９】
前記新しい識別情報は、別の２次コンピュータ・システムによって前記１次コンピュータ・システムに入力されることを特徴とする請求項１に記載の方法。
【請求項１０】
前記変換することは、前記２次システムのために設計された専用プロセスによって実行されることを特徴とする請求項１に記載の方法。
【請求項１１】
前記変換することは、識別情報を複数の異なる形式に変換するように設計された汎用プロセスによって実行されることを特徴とする請求項１に記載の方法。
【請求項１２】
前記２次コンピュータ・システムから、前記１次データベースの形式である１次形式の識別情報クレーム要素を前記２次データベースの形式である２次形式の識別情報クレーム要素にマップする、情報のマッピング・テーブルを受け取ること、および
前記マッピング・テーブルを用いて識別情報を前記２次形式に変換すること
をさらに備えることを特徴とする請求項１１に記載の方法。
【請求項１３】
コンピュータ・システムにより読取り可能であり、請求項１に記載の方法を実行するために前記コンピュータ・システムにより実行可能な複数の命令から成るプログラムを有形的に具現化していることを特徴とするコンピュータ読み取り可能な記録媒体。
【請求項１４】
コンピュータ・システムにより読取り可能であり、請求項１２に記載の方法を実行するために前記コンピュータ・システムにより実行可能な複数の命令から成るプログラムを有形的に具現化していることを特徴とするコンピュータ読み取り可能な記録媒体。
【請求項１５】
それぞれが異なる形式で識別情報を格納する２次コンピュータ・システムと異種の１次コンピュータ・システムの間で識別情報を同期させる方法であって、
前記１次コンピュータ・システムと前記２次コンピュータ・システムを接続して、前記１次コンピュータ・システムと前記２次コンピュータ・システムの間に通信能力を提供すること、
前記２次コンピュータ・システム上に新しい識別情報が存在し、同期化操作を実行する必要があると決定すること、
前記新しい識別情報を前記１次コンピュータ・システムに伝搬すること、および
前記新しい識別情報を、前記１次コンピュータ・システムに関連付けられた異なる形式に変換すること
を備えることを特徴とする方法。
【請求項１６】
前記プロセスは、オペレーティング・システムによって実行されることを特徴とする請求項１５に記載の方法。
【請求項１７】
前記１次コンピュータ・システムは、前記新しい識別情報の受け取りに追随する識別情報の代理データベースを備え、前記代理データベースは、前記２次コンピュータ・システム上に格納された識別情報の２次データベースの代理あることを特徴とする請求項１５に記載の方法。
【請求項１８】
前記変換することは、識別情報を複数の異なる形式に変換するように設計された汎用プロセスによって実行されることを特徴とする請求項１５に記載の方法。
【請求項１９】
前記２次コンピュータ・システムから、前記１次データベースの形式である１次形式の識別情報クレーム要素を前記２次データベースの形式である２次形式の識別情報クレーム要素にマップする、情報のマッピング・テーブルを受け取ること、および
前記マッピング・テーブルを用いて識別情報を前記２次形式から前記１次形式に変換すること
をさらに備えることを特徴とする請求項１８に記載の方法。
【請求項２０】
コンピュータ・システムにより読取り可能であり、請求項１５に記載の方法を実行するために前記コンピュータ・システムにより実行可能な複数の命令から成るプログラムを有形的に具現化していることを特徴とするコンピュータ読み取り可能な記録媒体。
【請求項２１】
コンピュータ・システムにより読取り可能であり、請求項１９に記載の方法を実行するために前記コンピュータ・システムにより実行可能な複数の命令から成るプログラムを有形的に具現化していることを特徴とする読み取り可能な記録媒体。
【請求項２２】
それぞれが、異なる形式で識別情報を格納し、識別情報の代理データベースを備える１次コンピュータ・システムと異種の２次コンピュータ・システムの間で規則情報を同期させる方法であって、
前記１次コンピュータ・システムと前記２次コンピュータ・システムを接続して、前記１次コンピュータ・システムと前記２次コンピュータ・システムの間に通信能力を提供すること、
新しい規則情報が存在し、同期化操作を実行する必要があると決定すること、および
前記新しい識別情報を一方のコンピュータ・システムから他方のコンピュータ・システムに伝搬すること
を備えることを特徴とする方法。
【請求項２３】
前記新しい規則情報を、前記２次コンピュータ・システムに関連付けられた異なる形式に変換することをさらに備えることを特徴とする請求項２２に記載の方法。
【請求項２４】
前記変換することは、前記情報を前記２次コンピュータ・システムに伝搬する前に、前記１次コンピュータ・システム上で行われることを特徴とする請求項２３に記載の方法。
【請求項２５】
前記１次コンピュータ・システムは、規則情報を前記２次コンピュータ・システムのための適正な形式に変換するのに使用される変換テーブルを維持することを特徴とする請求項２４に記載の方法。
【請求項２６】
それぞれが異なる形式で識別情報を格納する１次コンピュータ・システムと異種の２次コンピュータ・システムの間で識別情報を同期させるネットワークシステムであって、
前記１次コンピュータ・システムと前記２次コンピュータ・システムを接続して、前記１次コンピュータ・システムと前記２次コンピュータ・システムの間に通信能力を提供する同期インターフェースと、
前記１次コンピュータ・システム上に新しい識別情報が存在し、同期化操作を実行する必要があると決定する制御モジュールと、
前記新しい識別情報を、前記２次コンピュータ・システムに関連付けられた異なる形式に変換する変換モジュールと、
前記変換された情報を前記２次コンピュータ・システムに伝搬する同期モジュールと
を備えることを特徴とするシステム。
【請求項２７】
前記２次コンピュータ・システムは、電話コンピュータ・システムであることを特徴とする請求項２６に記載のシステム。
【請求項２８】
前記２次コンピュータ・システムは、ハンドヘルド携帯情報端末コンピュータ・システムであることを特徴とする請求項２６に記載のシステム。
【請求項２９】
前記２次コンピュータ・システムは、電子メールサーバコンピュータシステムであることを特徴とする請求項２６に記載のシステム。
【請求項３０】
前記変換モジュールは、前記２次コンピュータ・システムに関連付けられた所定のマッピング情報テーブルにアクセスして、前記識別情報を前記適正な形式に変換すすることを特徴とする請求項２６に記載のシステム。
【請求項３１】
別の２次コンピュータ・システムと通信するための第２の同期インターフェースをさらに含み、前記変換モジュールは、識別情報を、前記別の２次コンピュータ・システムのための別の２次形式に変換することを特徴とする請求項３０に記載のシステム。
【請求項３２】
前記１次コンピュータ・システムはユーザ・インターフェース・モジュールを備え、前記新しい識別情報は、前記ユーザ・インターフェース・モジュールを介して前記１次コンピュータ・システムに入力されることを特徴とする請求項２６に記載のシステム。
【請求項３３】
前記新しい識別情報は、第３のコンピュータ・システムに起因することを特徴とする請求項２６に記載のシステム。
【請求項３４】
前記第３のコンピュータ・システムから受け取った前記新しい識別情報は、前記１次コンピュータ・システムのための形式に変換されて１次データベースに格納され、次いで、前記新しい識別情報は、前記２次コンピュータ・システムのための形式に変換されて前記２次コンピュータ・システムに転送されることを特徴とする請求項３２に記載のシステム。
【請求項３５】
それぞれが異なる形式で識別情報を格納し、それぞれが他方の識別情報の代理データベースを備える１次コンピュータ・システムと異種の２次コンピュータ・システムの間で規則情報を同期させるネットワークシステムであって、
前記１次コンピュータ・システムと前記２次コンピュータ・システムを接続して、前記１次コンピュータ・システムと前記２次コンピュータ・システムの間に通信能力を提供する同期インターフェースと、
前記１次コンピュータ・システム上に新しい規則情報が存在し、同期化操作を実行する必要があると決定する制御モジュールと、
前記新しい規則情報を前記２次コンピュータ・システムに伝搬する同期モジュールと
を備えることを特徴とするシステム。
【請求項３６】
前記新しい規則情報を、前記２次コンピュータ・システムに関連付けられた異なる形式に変換する変換モジュールをさらに備えることを特徴とする請求項３５に記載のシステム。
【請求項３７】
前記規則情報を、前記１次データベースを表す代理識別情報データベースを備える第３のコンピュータ・システムに関連付けられた第３の形式に変換すること、および
前記新しい規則情報を前記第３のコンピュータ・システムに伝搬すること
をさらに備えることを特徴とする請求項２４に記載の方法。
【請求項３８】
コンピュータ・システムにより読取り可能であり、請求項２２に記載の方法を実行するために前記コンピュータ・システムにより実行可能な複数の命令から成るプログラムを有形的に具現化していることを特徴とするコンピュータ読み取り可能な記録媒体。
【請求項３９】
コンピュータ・システムにより読取り可能であり、請求項２５に記載の方法を実行するために前記コンピュータ・システムにより実行可能な複数の命令から成るプログラムを有形的に具現化していることを特徴とするコンピュータ読み取り可能な記録媒体。